(57)【要約】【課題】ビデオサーバなどの映像音声送出機器に、収録された字幕データを送出する場合、重畳された字幕信号をデータとして、抽出し、送出時に重畳したデータと照合するとことにより、字幕信号の障害を検出し、迅速なシステム切り替えを行えるようにすることを可能とする。【解決手段】番組送出システムを、ビデオサーバなどの映像音声送出機器及びビデオサーバなどの映像音声送出機器からの映像出力信号から字幕信号を抽出するための字幕信号抽出器及び字幕信号抽出器と映像音声送出機器を外部から制御するための制御機器から構成する。【選択図】図１
2009105839.tif 000002
【特許請求の範囲】
【請求項１】
現用側の番組送出ユニットと予備側の番組送出ユニットからなる番組送出システムであって、それぞれの番組送出ユニットは、ビデオサーバなどの映像音声送出機器と、映像音声送出機器から出力される映像出力信号から字幕信号を抽出する字幕信号抽出器と、字幕信号抽出器と映像音声送出機器を制御する制御機器とから構成され、
現用側の番組送出ユニットと予備側の番組送出ユニットはそれぞれ、予め字幕信号を収録時に保存しておき、
現用側の番組送出ユニットの制御機器は、保存してあったデータと字幕信号抽出器が抽出したデータとを照合し、不一致であれば、他の映像音声送出機器に切替えることを特徴とする番組送出システム。
【発明の詳細な説明】
【技術分野】
【０００１】
本発明は番組送出システムに関わり、特に、番組送出システムの字幕送出に関する。
【背景技術】
【０００２】
放送局及び有線放送局等では、システムを二重化することで、安定的に番組送出を行なっている。特に、送出する番組を収録及び再生するための映像音声送出機器（例えば、ビデオサーバ）で構成される番組送出システムを複数構成（例えば、二重化構成）とすることで、安定的に番組送出を行なっている（特許文献１参照。）。
二重化若しくは複数構成したシステムでは、一方のシステムが障害等で停止した場合でも、正常な他のシステムに切り替えることにより、送出を停止することないので、安定的に番組の放送が可能である。
【０００３】
しかし、２重系等の複数構成の番組送出システムであっても、従来は、映像音声信号に重畳されている字幕信号に障害があった場合には、システム障害としては検知できない。このため、オペレータ（作業員）が目視によって監視することにより、字幕障害を発見し、システムの切り替えを行っている。
なお、ここで、映像音声信号と称している信号は、必ずしも映像と音声の両方を含んでいるものではなく、本発明明細書では、映像もしくは音声いずれか１つである場合でも、映像音声信号と称している。
【０００４】
【特許文献１】特開２０００−２３６４５７号公報
【発明の開示】
【発明が解決しようとする課題】
【０００５】
上述の従来例では、重畳された字幕信号を、オペレータによる目視で確認しなければならず、字幕障害の発生を発見してから、オペレータから指示を出さないとシステムが反応せず、システムの切り替えがなされるまでに時間がかかっていた。
本発明の目的は、上記のような問題を解決し、字幕障害の発生とシステムの切替えが迅速に行える番組送出システムにおける番組字幕送出方法を提供することにある。
【課題を解決するための手段】
【０００６】
上記の目的を達成するため、本発明の現用側の番組送出ユニットと予備側の番組送出ユニットからなる番組送出システムの現用側の番組送出ユニットにおいて、制御機器が、映像音声送出機器に収録された映像音声信号に重畳された字幕信号データとして抽出し、映像音声送出機器に収録時に予め記録しておいた重畳したデータと照合することにより、システム内で自動的に字幕障害の発生を検出する。そして、異常を検出すると、予備側の番組送出ユニットに切り替えるものである。
【０００７】
即ち、本発明の番組送出システムは、現用側の番組送出ユニットと予備側の番組送出ユニットからなる番組送出システムであって、それぞれの番組送出ユニットは、ビデオサーバなどの映像音声送出機器と、映像音声送出機器から出力される映像出力信号から字幕信号を抽出する字幕信号抽出器と、字幕信号抽出器と映像音声送出機器を制御する制御機器とから構成され、
現用側の番組送出ユニットと予備側の番組送出ユニットはそれぞれ、予め字幕信号を収録時に保存しておき、
現用側の番組送出ユニットの制御機器は、保存してあったデータと字幕信号抽出器が抽出したデータとを照合し、不一致であれば、他の映像音声送出機器に切替えるものである。
【０００８】
また、本発明の現用側の番組送出ユニットと予備側の番組送出ユニットからなる番組送出システムの番組字幕送出方法は、現用側の番組送出ユニットにおいて、収録時に字幕信号を保存し、番組放送時に保存してあったデータと放送開始時の映像音声信号から字幕信号抽出器が抽出したデータとを照合し、不一致であれば、映像音声信号を送出する番組送出ユニットを、予備側の番組送出ユニットに切替えるものである。
【発明の効果】
【０００９】
本発明によれば、字幕障害の発生を検出後、迅速なシステム切り替えを実行することができ、安定な、信頼性の高い番組送出が可能となる。
【発明を実施するための最良の形態】
【００１０】
本発明は、二重化された番組送出システムにおいて、制御機器が、事前に映像音声送出機器への収録時等、事前に重畳された字幕データと字幕重畳時刻を記録しておき、放送するために映像音声送出機器から番組の映像音声信号の出力を開始する時に、字幕抽出器が抽出する当該映像音声信号の字幕データ及び字幕重畳時刻情報を受信し、受信した字幕データ及び字幕重畳時刻情報と、記憶しておいた字幕データ及び字幕重畳時刻と照合する。照合の結果が不一致であれば、字幕信号の障害と判定し、システム切り替え器に、他方のシステムに切り替えるための切り替え信号を出力し、システムを切り替えるものである。これによって、字幕障害発生時に迅速なシステム切り替えが可能となる。
【００１１】
本発明の一実施例を、図１によって説明する。図１は、本発明の番組送出システムの一実施例の構成を示すブロック図である。１００−１は現用側の番組送出ユニット、１００−２は予備側の番組送出ユニット、１０１−１と１０１−２はビデオサーバ等の映像音声送出機器、１０２−１と１０２−２は制御機器、１０３−１と１０３−２は字幕抽出器、１０４は上位システム、１０５はシステム切り替え器である。また、現用側の番組送出ユニット１００−１は、映像音声送出機器１０１−１、制御機器１０２−１、及び字幕抽出器１０３−１で構成され、予備側の番組送出ユニット１００−２は、映像音声送出機器１０１−２、制御機器１０２−２、及び字幕抽出器１０３−２で構成される。
なお、サフィックス（例えば、１０１−１の「−１」、１０１−２の「−２」）は、「−１」が現用側システム、「−２」が予備側システムを示す。
また、上位システム１０４と制御機器１０２−１、及び上位システム１０４と制御機器１０２−２とは、ＲＳ４２２等のシリアルインターフェース規格の制御線で接続されている。また、制御機器１０２−１と映像音声送出機器１０１−１間、制御機器１０２−１と字幕抽出器１０３−１間、及び、制御機器１０２−１とシステム切り替え器１０５間は、ＲＳ４２２等のシリアルインターフェース規格の制御線で接続されている。同様に、制御機器１０２−２と、映像音声送出機器１０１−２、字幕抽出器１０３−２、及び、システム切り替え器１０５間は、ＲＳ４２２等のシリアルインターフェース規格の制御線で接続されている。
【００１２】
図１において、上位システム１０４は、放送局の放送に関わるすべてのシステムを統括及び制御する。即ち、図１においては、番組送出システムを制御する。
図１の番組送出システムは、システム切り替え器１０５と、現用側の番組送出ユニット１００−１と予備側の番組送出ユニット１００−２とから構成される。
【００１３】
現用側の番組送出ユニット１００−１では、映像音声送出機器１０１−１には、制御機器１０２−１を介して上位システム１０４の制御によって指定された映像音声信号が入力される。上位システム１０４は、同時に、入力される信号に付加するＩＤ（識別番号）と重畳データと重畳する時刻情報を制御機器１０２−１に出力する。重畳時刻情報とは、映像信号の重畳するフレームと、フレーム中の表示位置座標を含んだ情報である。
制御機器１０２−１は、番組音声送出機器１０１−１に入力された映像音声信号に上位システム１０４からの制御によって字幕データを所定の時刻位置に重畳し、当該映像音声信号を識別するためのＩＤを付加して、映像音声送出機器１０１−１に出力すると共に、付加したＩＤに関連付けして重畳した字幕データと字幕重畳時刻を記録する。なお、記録場所は、制御機器１０２−１内の図示しないメモリ若しくは制御機器１０２−１に接続した図示しない外部記憶装置に記憶される。
字幕抽出器１０３−１は、映像音声送出機器１０１−１から出力される映像音声信号を入力し、映像信号中のＩＤと重畳データと重畳した時刻を抽出する。そして字幕抽出器１０３−１は、抽出された重畳データと重畳した時刻とをＩＤと共に制御機器１０２−１に出力する。なお、ＩＤを抽出若しくは出力しなくても良い。
【００１４】
同様に、予備側の番組送出ユニット１００−２では、映像音声送出機器１０１−２には、制御機器１０２−２を介して上位システム１０４の制御によって指定された映像音声信号が入力される。上位システム１０４は、同時に、入力される信号に付加するＩＤ（識別番号）と重畳データと重畳する時刻情報を制御機器１０２−２に出力する。重畳時刻情報とは、映像信号の重畳するフレームと、フレーム中の表示位置座標を含んだ情報である。
制御機器１０２−２は、番組音声送出機器１０１−２に入力された映像音声信号に上位システム１０４からの制御によって字幕データを所定の時刻位置に重畳し、当該映像音声信号を識別するためのＩＤを付加して、映像音声送出機器１０１−２に出力すると共に、付加したＩＤに関連付けして重畳した字幕データと字幕重畳時刻を記録する。なお、記録場所は、制御機器１０２−２内の図示しないメモリ若しくは制御機器１０２−２に接続した図示しない外部記憶装置に記憶される。
字幕抽出器１０３−２は、映像音声送出機器１０１−２から出力される映像音声信号を入力し、映像信号中のＩＤと重畳データと重畳した時刻を抽出する。そして字幕抽出器１０３−２は、抽出された重畳データと重畳した時刻とをＩＤと共に制御機器１０２−２に出力する。なお、ＩＤを抽出若しくは出力しなくても良い。
【００１５】
また、現用側の番組送出ユニット１００−１の出力（映像音声送出機器１０１−１の映像音声信号）と予備側の番組送出ユニット１００−２の出力（映像音声送出機器１０１−２の映像音声信号）は、それぞれ、システム切り替え器１０５に入力される。
システム切り替え器１０５は、制御機器１０２−１及び１０２−２から出力される制御信号に基づいてシステムの切り替えを行い、指定されたシステム側の映像音声信号を送出する。
更に、システム切り替え器１０５は、上位システム１０４の制御（図示しない）を優先的に受けて、システムの切り替えを実行する。
【００１６】
次に、図１と図２によって、本発明の動作を説明する。図２は、本発明の番組送出システムにおける番組字幕送出の一実施例の動作手順を説明するためのフローチャートである。
図２において、先ず字幕データ記録ステップ２０１では、上位システムの制御に基づいて、指定された同一の映像音声信号が、２つの番組送出ユニット１００−１と１００−２のそれぞれの制御機器１０２−１と１０２−２に入力される。
【００１７】
制御機器１０２−１は、入力された映像音声信号にＩＤと字幕データと字幕重畳時刻を付加して映像音声送出機器１０１−１に出力すると共に、映像音声信号に重畳されている字幕データと字幕重畳時刻を記録する。同様に、制御機器１０２−２は、入力された映像音声信号にＩＤと字幕データと字幕重畳時刻を付加して映像音声送出機器１０１−２に出力すると共に、映像音声信号に重畳されている字幕データと字幕重畳時刻を記録する。
番組送出ユニット１００−１と１００−２は、上記の動作を繰り返し、放送に必要な映像音声信号を、それぞれの映像音声送出器１０１−１若しくは１０１−２に蓄積する。蓄積データは、一般的に、非圧縮のデジタルデータである。映像音声信号を識別するためのＩＤ、並びに、字幕データ及び字幕重畳時刻は、フレームデータのヘッダ部に、書き込まれている。また、字幕データ及び字幕重畳時刻は、ヘッダ部内のＩＤと別のデータ領域に書き込まれる。
【００１８】
制御信号受信ステップ２０２では、制御機器１０２−１は、上位システム１０４から出力される番組送出制御信号を受信したか否かを確認し、受信していなければ、制御信号受信ステップ２０２を所定の周期で繰り返す。番組送出制御信号を受信した場合には、映像音声信号出力開始ステップ２０３に移行する。
番組送出制御信号には、送出する映像音声信号を特定するためのＩＤが含まれている。映像音声信号出力開始ステップ２０３では、制御機器１０２−１は、番組送出制御信号に含まれているＩＤに対応する映像音声信号を、システム切り替え器１０４に出力の開始をするように、映像音声送出機器１０１−１を制御する。また、字幕抽出器１０３−１に当該ＩＤに対応する映像音声信号を出力する。
次に、字幕データと字幕重畳時刻抽出ステップ２０４では、字幕抽出器１０３−１は、入力された映像音声信号から、ＩＤ、字幕データ、及び、字幕重畳時刻情報を抽出し、制御機器１０２−１に出力する。制御機器１０２−１は、字幕抽出器１０３−１から入力されたＩＤ、字幕データ、及び、字幕重畳時刻情報を受信する。
【００１９】
字幕データと字幕重畳時刻判定ステップ２０５では、制御機器１０２−１は、収録時に記録していたＩＤ、字幕データ、及び、字幕重畳時刻と、字幕抽出器１０３−１から入力されたＩＤ、字幕データ、及び、字幕重畳時刻情報を照合する。そして、一致していれば、処理を終了し、照合結果に相違があった（即ち、不一致があった）場合には、切り替え信号出力ステップ２０６に移行する。また、一致したか、不一致であったかの判定結果情報を上位システム１０４に出力する。
切り替え信号出力ステップ２０６では、制御機器１０２−１は、システム切り替え器１０５に切り替え信号を出力し、予備側の番組送出ユニット１００−２から映像音声信号を送出するようにする。
【００２０】
この時、予備側の番組送出ユニット１００−２においても、同様に、上位システム１０４から出力される番組送出制御信号を受信したか否かを確認し、受信していなければ、制御信号受信ステップ２０２を所定の周期で繰り返す。そして、番組送出制御信号を受信した場合には、映像音声信号出力開始ステップ２０３に移行する。
そして、映像音声信号出力開始ステップ２０３では、制御機器１０２−２は、番組送出制御信号に含まれているＩＤに対応する映像音声信号をシステム切り替え器１０４に出力するように、映像音声送出機器１０１−１を制御する。ただし、システム切り替え器１０４は、現用側の番組送出ユニット１００−１からの映像音声信号を送出し、予備側の番組送出ユニット１００−２から映像音声信号を送出しない。
字幕データと字幕重畳時刻抽出ステップ２０４では、字幕抽出器１０３−２は、入力された映像音声信号から、ＩＤ、字幕データ、及び、字幕重畳時刻情報を抽出し、制御機器１０２−２に出力する。制御機器１０２−２は、字幕抽出器１０３−２から入力されたＩＤ、字幕データ、及び、字幕重畳時刻情報を受信する。
【００２１】
字幕データと字幕重畳時刻判定ステップ２０５では、制御機器１０２−２は、収録時に記録していたＩＤ、字幕データ、及び、字幕重畳時刻と、字幕抽出器１０３−２から入力されたＩＤ、字幕データ、及び、字幕重畳時刻情報を照合する。そして、一致したか、不一致であったかの判定結果情報を上位システム１０４に出力し、処理を終了する。
【００２２】
上記実施例によれば、重畳された字幕信号をデータとして抽出し、収録時に重畳したデータと照合することにより、字幕信号の障害を検出し、迅速なシステム切り替えが可能となる。
【図面の簡単な説明】
【００２３】
【図１】本発明の番組送出システムの一実施例の構成を示すブロック図。
【図２】本発明の番組字幕送出の一実施例の動作手順を説明するためのフローチャート。
【符号の説明】
【００２４】
１００−１：現用側の番組送出ユニット、  １００−２：予備側の番組送出ユニット、  １０１−１、１０１−２：映像音声送出機器、  １０２−１、１０２−２：制御機器、  １０３−１、１０３−２：字幕抽出器、  １０４：上位システム、  １０５：システム切り替え器。
【図１】
2009105839.tif 000003
【図２】
2009105839.tif 000004